(57)【特許請求の範囲】
【請求項１】
光ビームを出射する光源と、
前記光源から出射された光ビームが感光体上を走査するように前記光ビームを偏向する回転多面鏡と、
前記回転多面鏡によって偏向された前記光ビームを前記感光体に導く光学部材と、
前記光源が取り付けられ、前記回転多面鏡、及び前記光学部材を収容する光学箱と、
前記光学箱に対向する第１面と当該第１面とは反対側の第２面とを有し、前記光源を保持し前記光源の発光を制御する制御基板と、
前記光学箱とは別体であって、ビスによって前記制御基板に対して固定され前記制御基板を保護するカバー部材と、を有し、
前記カバー部材は、
前記第１面に当接する第１当接部と、
前記ビスが挿通される挿通孔が形成され前記第２面に当接する第２当接部と、
を備え、
前記カバー部材には開口が形成されており、前記ビスによって前記制御基板と共に前記光学箱に締結された前記カバー部材の前記開口は、前記第１当接部が当接する前記第１面の部分の裏側に対応する領域に対向することを特徴とする光走査装置。
【請求項２】
前記挿通孔が形成された前記第２当接部は、前記カバー部材の角部近傍に設けられていることを特徴とする請求項１に記載の光走査装置。
【請求項３】
前記光源を挟んで互いに対向する前記制御基板の二つの角部のうち一方の角部近傍に第１の孔が形成され且つ他方の角部近傍に第２の孔が形成されており、
前記ビスである第１のビスが前記挿通孔と前記第１の孔とを介して前記制御基板を前記光学箱に締結し、前記ビスとは異なる第２のビスが前記第２の孔を介して前記制御基板を前記光学箱に締結することを特徴とする請求項２に記載の光走査装置。
【請求項４】
前記制御基板は、外部装置との接続のための接続端子を有し、
前記カバー部材のうち、前記カバー部材を前記制御基板に固定した際に前記接続端子に対向する箇所には切り欠きが形成されていることを特徴とする請求項１から請求項３のいずれか１項に記載の光走査装置。
【請求項５】
前記第２当接部は、丸み付けされていることを特徴とする請求項１から請求項４のいずれか１項に記載の光走査装置。
【請求項６】
前記カバー部材には、前記光学箱に形成された凹部に嵌って前記回転多面鏡の回転軸線方向における前記光学箱に対する前記カバー部材の位置を決めるための凸部が形成され、
前記第１当接部は前記凸部に形成されていることを特徴とする請求項１から請求項５までのいずれか１項に記載の光走査装置。
【請求項７】
感光体と、
前記感光体に光ビームを照射して前記感光体上に静電潜像を形成する請求項１から請求項６のいずれか１項に記載の光走査装置と、
前記光走査装置により形成された静電潜像を現像しトナー像を形成する現像手段と、
前記現像手段により形成されたトナー像を記録媒体に転写する転写手段と、
を備えることを特徴とする画像形成装置。
【発明の詳細な説明】
【技術分野】
【０００１】
本発明は、複写機やプリンタ及びファクシミリなどの電子写真方式の画像形成装置に搭載される光走査装置及び画像形成装置に関する。
【背景技術】
【０００２】
レーザビームプリンタやデジタル複写機などの電子写真方式の画像形成装置では、感光体を露光するための光走査装置を備えている。光走査装置は、半導体レーザから出射されるレーザ光を回転多面鏡で偏向して、感光体の表面を走査する。これにより、感光体上には静電潜像が形成され、静電潜像にトナーを付着させて現像することによりトナー像が形成され、形成されたトナー像を用紙に転写することにより、画像形成が行われる。
【０００３】
光走査装置には、半導体レーザの発光を制御するためにレーザ制御基板を備えている。レーザ制御基板には、画像形成装置本体の制御部との通信や電力供給のための各種ケーブルのコネクタが設けられている。ケーブル等を接続する際の利便性のために、レーザ制御基板は光走査装置の筐体の外部側面などに固定され、光走査装置の外部に露出している場合が多い。また、レーザ制御基板には、半導体レーザの光量調節ボリュームなどの精密な部品が数多く実装されており、これらの部品は、外部からの衝撃によって故障するおそれのある部品である。更に、光走査装置は、その特性上、画像形成装置内部の奥まった場所に設置されることが多い。そのため、装置の組立やサービスマンのメンテナンス作業で、画像形成装置本体から光走査装置を脱着する際に、レーザ制御基板が画像形成装置本体に接触し、故障するおそれがあるという課題があった。このような課題に対し、例えば特許文献１では、外部に露出しているレーザユニットをカバー部材で覆う構成の光走査装置が提案されている。
【先行技術文献】
【特許文献】
【０００４】
【特許文献１】特開２０１０−２１７２４０号公報
【発明の概要】
【発明が解決しようとする課題】
【０００５】
しかしながら、従来の光走査装置では、箱型のカバー部材によってレーザ制御基板全体が覆われ、カバー部材は、レーザ制御基板が設けられた箇所（位置）から離れた箇所（場所）で光走査装置のフレームに固定されている。そのため、レーザ制御基板の周囲に大きなスペースが必要となり、光走査装置が大型化するという課題がある。また、カバー部材がレーザ制御基板全体を覆う箱型構成となっているため、レーザ制御基板自体が発する熱がカバー部材内部にこもり、その結果、内部の温度が上昇してしまうという課題もある。
【０００６】
本発明はこのような状況のもとでなされたもので、簡易な構成のカバーによりレーザ制御基板を保護することを目的とする。
【課題を解決するための手段】
【０００７】
前述の課題を解決するために、本発明は、以下の構成を備える。
【０００８】
（１）光ビームを出射する光源と、前記光源から出射された光ビームが感光体上を走査するように前記光ビームを偏向する回転多面鏡と、前記回転多面鏡によって偏向された前記光ビームを前記感光体に導く光学部材と、前記光源が取り付けられ、前記回転多面鏡、及び前記光学部材を収容する光学箱と、前記光学箱に対向する第１面と当該第１面とは反対側の第２面とを有し、前記光源を保持し前記光源の発光を制御する制御基板と、前記光学箱とは別体であって、ビスによって前記制御基板に対して固定され前記制御基板を保護するカバー部材と、を有し、前記カバー部材は、前記第１面に当接する第１当接部と、前記ビスが挿通される挿通孔が形成され前記第２面に当接する第２当接部と、を備え、前記カバー部材には開口が形成されており、前記ビスによって前記制御基板と共に前記光学箱に締結された前記カバー部材の前記開口は、前記第１当接部が当接する前記第１面の部分の裏側に対応する領域に対向することを特徴とする光走査装置。
【０００９】
（２）感光体と、前記感光体に光ビームを照射して前記感光体上に静電潜像を形成する前記（１）に記載の光走査装置と、前記光走査装置により形成された静電潜像を現像しトナー像を形成する現像手段と、前記現像手段により形成されたトナー像を記録媒体に転写する転写手段と、を備えることを特徴とする画像形成装置。
【発明の効果】
【００１０】
本発明によれば、簡易な構成のカバーによりレーザ制御基板を保護することができる。
【図面の簡単な説明】
【００１１】
【図１】実施例の画像形成装置の構成を表す概略断面図
【図２】実施例の光走査装置の構成を示す断面図
【図３】実施例の光走査装置の構成を示す上面図、斜視図、光源ユニットの斜視図
【図４】実施例の光走査装置のレーザ基板カバーの装着前後の状態を示す斜視図
【図５】実施例のレーザ基板カバーを説明する図
【図６】実施例のレーザ基板カバーの装着手順を説明する図
【図７】実施例のレーザ基板、レーザ基板カバーを光学箱に装着した状態を示す図
【発明を実施するための形態】
【００１２】
以下に、図面を参照して本発明の実施の形態について詳細に説明する。
【実施例】
【００１３】
［画像形成装置の概要］
図１は、実施例の電子写真方式の画像形成装置１００の概略断面図である。図１の画像形成装置は、給紙部１０１、画像形成ユニット１０２Ｙ、１０２Ｍ、１０２Ｃ、１０２Ｂｋ、光走査装置１０３、１０４、中間転写ベルト１０５、定着装置１０６を備えている。給紙部１０１は、用紙（記録紙ともいう）を給紙し、二次転写部Ｔ２へ搬送する。光走査装置１０３は、画像形成ユニット１０２Ｙ、１０２Ｍ内の感光ドラム１０７Ｙ、１０７Ｍに光ビームを照射して、各感光ドラム上に静電潜像を形成する。光走査装置１０４は、画像形成ユニット１０２Ｃ、１０２Ｂｋ内の感光ドラム１０７Ｃ、１０７Ｂｋを走査して、各感光ドラム上に静電潜像を形成する。画像形成ユニット１０２Ｙ、１０２Ｍ、１０２Ｃ、１０２Ｂｋは、それぞれイエロー（Ｙ）、マゼンタ（Ｍ）、シアン（Ｃ）、ブラック（Ｂｋ）のトナー像を感光ドラム１０７Ｙ、１０７Ｍ、１０７Ｃ、１０７Ｂｋ上に形成する。なお、以下ではトナーの色を表す符号Ｙ、Ｍ、Ｃ、Ｂｋは必要な場合を除き省略する。中間転写ベルト１０５には、各々の画像形成ユニット１０２の感光ドラム１０７上に形成されたトナー像が転写され、二次転写部Ｔ２において、中間転写ベルト１０５上のトナー像は、給紙部１０１から給紙された記録紙に一括して転写される。定着装置１０６は、記録紙上に転写された未定着のトナー像を記録紙に定着させる。
【００１４】
本実施例の画像形成装置の画像形成ユニット１０２Ｙ、１０２Ｍ、１０２Ｃ、１０２Ｂｋの構成要素は同一であるため、以下では、画像形成ユニット１０２Ｙを用いて説明する。また、以下の説明において、後述する回転多面鏡２０９の回転軸方向をＺ軸方向、光ビームの走査方向である主走査方向、又は後述する折返しミラーの長手方向をＹ軸方向、Ｙ軸及びＺ軸に垂直な方向をＸ軸方向とする。
【００１５】
画像形成ユニット１０２Ｙは、感光体である感光ドラム１０７Ｙ、帯電装置１０８Ｙ、現像装置１０９Ｙを備える。画像を形成する際に、帯電装置１０８Ｙは、感光ドラム１０７Ｙの表面を一様な電位に帯電する。帯電された感光ドラム１０７Ｙの表面は、光走査装置１０３によって露光され、静電潜像が形成される。この静電潜像は、現像装置１０９Ｙによって供給されるイエローのトナーによって可視像化（現像）され、トナー像が形成される。一次転写部Ｔｙでは、感光ドラム１０７Ｙに対向するように一次転写ローラ１１０Ｙが配設されている。一次転写ローラ１１０Ｙに所定の転写電圧を印加することによって、感光ドラム１０７Ｙ上（感光体上）に形成されたトナー像が、中間転写ベルト１０５に転写される。同様に、他の色の感光ドラム１０７Ｍ、１０７Ｃ、１０７Ｂｋ上のトナー像も、一次転写部Ｔｍ、Ｔｃ、ＴＢｋに配設された一次転写ローラ１１０Ｍ、１１０Ｃ、１１０Ｂｋによって、中間転写ベルト１０５上に転写される。
【００１６】
二次転写部Ｔ２では、中間転写ベルト１０５に対向するように二次転写ローラ１１１が配設されている。そして、二次転写ローラ１１１に所定の転写電圧を印加することによって、中間転写ベルト１０５上のトナー像が給紙部１０１から搬送された記録媒体である記録紙に転写される。トナー像が転写された記録紙は定着装置１０６に搬送され、未定着のトナー像は定着装置１０６によって加熱され、記録紙に定着される。そして、定着装置１０６により定着処理が行われた記録紙は、不図示の排紙部に排出される。
【００１７】
［光走査装置の構成］
（レーザ光の光路）
図２は、図１に示す感光ドラム１０７Ｙ、１０７Ｍを走査する光走査装置１０３の構成を示す断面図である。図２に示すように、光走査装置１０３では、レンズや折返しミラーから構成される光学系を通過するレーザ光の光路が立体的に形成されている。図２において、光源ユニット２０２Ｍ（図３参照）から出射されたレーザ光ＬＭは、回転多面鏡２０９により偏向される。偏向されたレーザ光ＬＭは、ｆθレンズ２１０Ｍを通過した後に光学部材である折返しミラー２１１Ｍによって反射され、ｆθレンズ２１２Ｍに導かれる。そして、ｆθレンズ２１２Ｍを通過したレーザ光ＬＭは、折返しミラー２１３Ｍによって反射され、感光ドラム１０７Ｍに導かれる。
【００１８】
一方、光源ユニット２０２Ｙ（図３参照）から出射されたレーザ光ＬＹは、回転多面鏡２０９により偏向される。偏向されたレーザ光ＬＹは、ｆθレンズ２１０Ｙを通過した後に折返しミラー２１１Ｙによって反射され、ｆθレンズ２１２Ｙに導かれる。そして、ｆθレンズ２１２Ｙを通過したレーザ光ＬＹは、折返しミラー２１３Ｙによって反射され、感光ドラム１０７Ｙに導かれる。なお、回転多面鏡２０９は、駆動モータ２１８によって支持されると共に、駆動モータ２１８により回転駆動される。本実施例では、回転多面鏡２０９と駆動モータ２１８は一体として、偏向手段を形成している。
【００１９】
図２に示すように、光学部品であるｆθレンズ２１０Ｍ、２１２Ｍ、２１０Ｙ、２１２Ｙ、折返しミラー２１１Ｍ、２１３Ｍ、２１１Ｙ、２１３Ｙ、回転多面鏡２０９、駆動モータ２１８は、光学箱２０１内部に収容され、光走査装置１０３を構成する。光学箱２０１は、例えば、ポリカーボネイトやポリスチレンなどの合成樹脂にガラス繊維を混ぜて補強した材質で形成されることが多い。また、図２の光学箱２０１の上部の開口部には、内部に塵埃が侵入しないように、上カバー２１５が装着される。上カバー２１５には、感光ドラム１０７Ｙ、１０７Ｍに導かれるレーザ光が通過する開口部が設けられている。また、開口部から光学箱２０１の内部に塵埃が侵入しないように、開口部の感光ドラム１０７に対向する側には防塵ガラス２１４（２１４Ｙ、２１４Ｍ）が設置されている。防塵ガラス２１４は、両面テープにより上カバー２１５に接着されている。以上、感光ドラム１０７Ｙ、１０７Ｍを走査する光走査装置１０３の構成について説明した。感光ドラム１０７Ｃ、１０７Ｋを走査する光走査装置１０４についても、光走査装置１０３と同様の構成であり、説明を省略する。
【００２０】
（光走査装置の構成）
図３（ａ）、（ｂ）は、図２で説明した光走査装置１０３の上カバー２１５を取り外した状態を示す外観図である。図３（ａ）は、上方向（＋Ｚ軸方向）から光走査装置１０３を見たときの上面図を示し、図３（ｂ）は、＋Ｙ軸方向から光走査装置１０３を見たときの斜視図である。
【００２１】
図３（ａ）に示すように、光走査装置１０３の光学箱２０１の外壁には、感光ドラム１０７Ｙに照射するレーザ光を出射する光源ユニット２０２Ｙ、及び感光ドラム１０７Ｍに照射するレーザ光を出射する光源ユニット２０２Ｍが取り付けられている。光源ユニット２０２Ｙは、後述するレーザダイオード２０３Ｙを含む。光源ユニット２０２Ｍも同様にレーザダイオード（不図示）を含む。図３（ｃ）は、光源ユニット２０２Ｙが取り付けられる光学箱２０１側から見たときの光源ユニット２０２Ｙの斜視図である。光源ユニット２０２Ｙは、レーザ光を射出するレーザダイオード（不図示）と、出射されたレーザ光を平行光束に変換するコリメータレンズ２０５Ｙと、を保持するレーザホルダ２０４Ｙ、及びレーザダイオードを駆動するレーザ基板２０６Ｙから構成されている。また、レーザ基板２０６Ｙには、レーザ基板２０６Ｙをビスで光学箱２０１に締結するためのビス穴２０６Ｙｅ、２０６Ｙｆ、２０６Ｙｇが設けられている。なお、光源ユニット２０２Ｍについても、光源ユニット２０２Ｙと同様の構成であるが、後述するように、レーザ基板２０６Ｍの形状やビス穴の位置については、レーザ基板２０６Ｙとは異なる。
【００２２】
図３（ａ）、（ｂ）に示すように、光学箱２０１の中央には、回転多面鏡２０９が設置され、回転多面鏡２０９の両側には、ｆθレンズ２１０Ｍ、２１２Ｍ、２１０Ｙ、２１２Ｙ、及び折返しミラー２１１Ｍ、２１３Ｍ、２１１Ｙ、２１３Ｙが配置されている。光源ユニット２０２Ｙから平行光として出射されたレーザ光ＬＹは、シリンドリカルレンズ２０７Ｙによって副走査方向に集光されて、回転多面鏡２０９の反射面上で線状に結像し、回転多面鏡２０９の回転によって図３（ａ）、（ｂ）のＡ側に偏向される。偏向されたレーザ光ＬＹは、ｆθレンズ２１０Ｙを通過した後に折返しミラー２１１Ｙによって反射され、ｆθレンズ２１２Ｙに導かれる。そして、ｆθレンズ２１２Ｙを通過したレーザ光ＬＹは、折返しミラー２１３Ｙによって反射され、感光ドラム１０７Ｙに導かれる。一方、光源ユニット２０２Ｍから出射されたレーザ光ＬＭは、シリンドリカルレンズ２０７Ｍにより副走査方向に集光され、レーザ光ＬＹとは異なる回転多面鏡２０９の反射面上で線状に結像し、回転多面鏡２０９によって図３（ａ）、（ｂ）のＢ側に偏向される。偏向されたレーザ光ＬＭは、ｆθレンズ２１０Ｍを通過した後に折返しミラー２１１Ｍによって反射され、ｆθレンズ２１２Ｍに導かれる。そして、ｆθレンズ２１２Ｍを通過したレーザ光ＬＭは、折返しミラー２１３Ｍによって反射され、感光ドラム１０７Ｍに導かれる。
【００２３】
［レーザ基板とレーザ基板カバー］
図４は、上カバー２１５を装着した光走査装置の光学箱２０１の外壁側面に取り付けられたレーザ基板２０６Ｙ、２０６Ｍ（制御基板）に、レーザ基板カバー２５０Ｙ、２５０Ｍ（カバー部材）を装着する前後の状態を示す斜視図である。図４（ａ）は、レーザ基板２０６Ｙ、２０６Ｍに、レーザ基板カバー２５０Ｙ、２５０Ｍを装着する前の状態を示す斜視図であり、図４（ｂ）は、装着した後の状態を示す斜視図である。図４（ａ）、（ｂ）に示すように、上カバー２１５には、感光ドラム１０７Ｙに照射されるビーム光ＬＹが通過する防塵ガラス２１４Ｙと、感光ドラム１０７Ｍに照射されるビーム光ＬＭが通過する防塵ガラス２１４Ｍが設けられている。
【００２４】
（レーザ基板）
図４（ａ）に示すように、レーザ基板２０６Ｙには、画像形成装置本体の制御部との通信や電力供給のための各種ケーブルとの接続端子であるコネクタ２０６Ｙａ、２０６Ｙｂ、２０６Ｙｃが設置されている。レーザ基板カバー２５０Ｙを装着する前に、ビス締結用の２つの穴２０６Ｙｅ、２０６Ｙｆ（図３参照）を通して、光学箱２０１の固定部２５４（図６参照）等に締結されたビス２５１Ｙ、２５２Ｙにより、レーザ基板２０６Ｙが、光学箱２０１に固定される。ビス締結用の２つの穴のうち、一方のビス穴２０６Ｙｆはレーザ基板２０６Ｙの角部近傍に設けられており、他方のビス穴２０６Ｙｅは、光源であるレーザダイオード２０３Ｙを挟んでビス穴２０６Ｙｆに対向するレーザ基板２０６Ｙの端部に設けられている。なお、後述するビス２５３Ｙを通すビス穴２０６Ｙｇは、ビス穴２０６ＹｅとＺ軸方向に対向するレーザ基板２０６Ｙの端部の、ビス穴２０６ＹｅとＸ軸に対称な位置に設けられている。
【００２５】
また、レーザダイオード２０３Ｙのリードピンは、レーザ基板２０６Ｙに設けられた端子穴（図中、３つの端子穴）に通された後、レーザ基板２０６Ｙにハンダ付けされる。これにより、レーザダイオード２０３Ｙは、レーザ基板２０６Ｙ上に保持（実装）されると共に、レーザ基板２０６Ｙと電気的に接続される。このとき、レーザ基板２０６Ｙの姿勢が不安定だと、レーザダイオード２０３Ｙのリードピンが端子穴から外れてハンダ不良などを起こし得る。ところが、レーザ基板２０６Ｙはレーザダイオード２０３Ｙを挟んだ箇所のビス２５１Ｙ、２５２Ｙで光学箱２０１に固定されているので、ハンダ付けをする際に、レーザ基板２０６Ｙがずれることがないので、確実なハンダ付け作業を行うことができる。
【００２６】
一方、図４（ａ）に示すように、レーザ基板２０６Ｍについても、画像形成装置本体の制御部との通信や電力供給のための各種ケーブルのコネクタ２０６Ｍａ、２０６Ｍｂが設置されている。まず、レーザ基板２０６Ｍは、レーザダイオード２０３Ｍを挟んで対向するレーザ基板２０６Ｍの角部の近傍に設けられた２つのビス穴を通して、光学箱２０１に締結されたビス２５１Ｍ、２５２Ｍにより、光学箱２０１に固定される。なお、後述するビス２５３Ｍを通すビス穴２０６Ｍｇは、ビス２５２Ｍを通すビス穴とＺ軸方向に対向し、Ｘ軸に対称な位置であるレーザ基板２０６Ｍの角部の近傍に設けられている。
【００２７】
また、レーザダイオード２０３Ｍのリードピンは、レーザ基板２０６Ｍに設けられた端子穴（図中、３つの端子穴）に通された後、レーザ基板２０６Ｍにハンダ付けされる。これにより、レーザダイオード２０３Ｍは、レーザ基板２０６Ｍ上に保持（実装）されると共に、レーザ基板２０６Ｍと電気的に接続される。このとき、レーザ基板２０６Ｍの姿勢が不安定だと、レーザダイオード２０３Ｍのリードピンが端子穴から外れてハンダ不良などを起こし得る。ところが、レーザ基板２０６Ｙと同様にレーザ基板２０６Ｍも、ビス２５１Ｍ、２５２Ｍにより光学箱２０１に固定されている。そのため、ハンダ付けをする際に、レーザ基板２０６Ｍがずれることがなくなり、確実なハンダ付け作業を行うことができる。更に、レーザ基板２０６Ｍには、後述するレーザ基板カバー２５０Ｍの位置決めを行うためのボス２０６Ｍｄが設けられている。
【００２８】
（レーザ基板カバー）
続いて、レーザ基板カバー２５０Ｙ（カバー部材）について説明する。レーザ基板カバー２５０Ｙは、光学箱２０１とは別体の部材である。レーザ基板カバー２５０Ｙは、レーザダイオード２０３Ｙをレーザ基板２０６Ｙにハンダ付けした後、レーザ基板２０６Ｙに取り付けられる。レーザ基板カバー２５０Ｙをレーザ基板２０６Ｙに装着した状態の斜視図を図４（ｂ）に示す。図４（ｂ）に示すように、レーザ基板カバー２５０Ｙは、レーザ基板２０６Ｙの外形形状に合わせた形状を有し、レーザ基板２０６Ｙ全体を覆う箱型カバー構成ではなく、レーザ基板２０６Ｙの基板表面を覆うカバー構成となっている。また、前述したように、レーザ基板２０６Ｙ上にはコネクタが設置されている。そのため、レーザ基板カバー２５０Ｙは、装着時にレーザ基板カバー２５０Ｙのコネクタ（例えば、コネクタ２０６Ｙａ、２０６Ｙｃ）に対向する箇所には、コネクタが接触しないように、カバーを切り欠いた切り欠き部が設けられている。また、通信用のコネクタ２０６Ｙａはコネクタ抜け防止のためのロック機構を備えている。そのため、コネクタ２０６Ｙａの脱着時には、ロックを解除するために、コネクタ２０６Ｙａの長手方向の両端部を指で挟む操作が必要となる。その際に、指がコネクタ２０６Ｙａに入りやすくするために、切り欠き部の周囲の面を一段下げて、段差２５０Ｙｃを設けている。これにより、レーザ基板カバー２５０Ｙを装着した状態でのコネクタの脱着を容易にしている。更に、コネクタの脱着時の作業を効率よくするために、レーザ基板カバー２５０Ｙを装着したときのレーザ基板２０６Ｙとの距離（クリアランス）が小さくなるようにしている。これにより、レーザ基板カバー２５０Ｙを装着した際に、レーザ基板カバー２５０Ｙの切り欠き部から、コネクタが突出する部分の高さを大きくすることができるため、コネクタ脱着時の作業効率を向上させることができる。
【００２９】
また、レーザ基板カバー２５０Ｙは、ビス２５３Ｙ、及びレーザ基板２０６Ｙの挟持部である爪部２５０Ｙａによって、レーザ基板２０６Ｙ及び光学箱２０１に固定されている。レーザ基板カバー２５０Ｙの角部近傍には、レーザ基板カバー２５０Ｙをレーザ基板２０６Ｙ及び光学箱２０１に固定するためのビス２５３Ｙを通すためのビス穴２５０Ｙｂ（図６参照）が設けられている。また、ビス穴２５０ＹｂとＸ軸方向に対応するレーザ基板カバー２５０Ｙの端部の中央付近には、爪部２５０Ｙａ（図５（ｂ）参照）が設けられている。そして、レーザ基板カバー２５０Ｙを装着する際には、レーザ基板カバー２５０Ｙは、爪部２５０Ｙａにより、レーザ基板２０６Ｙを挟み込む。次に、レーザ基板２０６Ｙを挟んだ状態で、爪部２５０Ｙａを光学箱２０１の外壁のリブ間の凹部２５６に引っかける。続いて、ビス２５３Ｙを、レーザ基板カバー２５０Ｙのビス穴２５０Ｙｂ、及びレーザ基板２０６Ｙのビス穴２０６Ｙｇに通して光学箱の固定部２５５に締結し（図６参照）、レーザ基板カバー２５０Ｙをレーザ基板２０６Ｙ及び光学箱２０１に固定する。即ち、レーザ基板カバー２５０Ｙ及びレーザ基板２０６Ｙは、ビス２５３Ｙにより光学箱２０１に共締めされる。その結果、レーザ基板２０６Ｙは、３つのビス、即ちビス２５１Ｙ、２５２Ｙ、２５３Ｙにより光学箱２０１に固定されることになり、例えばコネクタ２０６Ｙｂ等の抜き差しなどでレーザ基板２０６Ｙに力が加わっても、撓んで変形するおそれがなくなる。
【００３０】
また、共締めを行うビス２５３Ｙを通すビス穴２５０Ｙｂは、コネクタ（例えばコネクタ２０６Ｙｂ）の近傍に設け、ビス２５３Ｙにより共締めすること（図４（ｂ））により、レーザ基板カバー２５０Ｙの浮き上がりを防止している。その結果、レーザ基板カバー２５０Ｙがレーザ基板２０６Ｙから浮き上がることが防止されるので、コネクタ装着時の作業に影響が出なくなる。
【００３１】
図５（ａ）は、レーザ基板カバー２５０Ｙを示す正面図であり、レーザ基板２０６Ｙ側から見た図、即ちレーザ基板カバー２５０Ｙの裏面を示す図である。図５（ａ）において、ハッチング部分は、レーザ基板カバー２５０Ｙをレーザ基板２０６Ｙに装着したときに、レーザ基板カバー２５０Ｙがレーザ基板２０６Ｙに当接する当接部分を示す。図５（ａ）に示すように、レーザ基板カバー２５０Ｙがレーザ基板２０６Ｙに当接する部分は、ビス２５３Ｙにより共締めされる共締め部２５０Ｙｂａと、爪部２５０Ｙａによりレーザ基板２０６Ｙが挟持されることにより当接する爪当接部２５０Ｙａａである。
【００３２】
また、図５（ｂ）は、図５（ａ）に示すレーザ基板カバー２５０Ｙを一点鎖線で示すＣ−Ｃ線に沿って切断した部分を、＋Ｚ軸方向から見た上面図である。図５（ｂ）において、幅の広いハッチング部分は爪部２５０Ｙａにより挟み込まれたレーザ基板２０６Ｙであり、幅の狭いハッチング部分は、レーザ基板カバー２５０Ｙや爪部２５０Ｙａである。また、レーザ基板カバー２５０Ｙのハッチングされていない部分は、図５（ａ）に示すレーザ基板カバー２５０Ｙの切り欠き部分であり、−Ｚ軸方向のレーザ基板カバー２５０Ｙを示している。図５（ａ）に示す共締め部２５０Ｙｂａは、ビス２５３Ｙに合わせて、角部２５０ＹｂｂがＲ付け（角部を丸くする）され、レーザ基板２０６Ｙとの当接面積を小さくしている。更に、爪部２５０Ｙａにおいても、レーザ基板２０６Ｙと当接する部分である爪当接部２５０Ｙａａについても、爪部２５０Ｙａに対向するレーザ基板カバー２５０Ｙ側の部分を切り欠くことにより、当接する面積を小さくしている。レーザ基板カバー２５０Ｙが当接するレーザ基板２０６Ｙの表面には部品を実装することができないが、上述したようにレーザ基板カバー２５０Ｙが当接する面積を小さくすることで、レーザ基板２０６Ｙの部品の実装面積を大きく減少させないようにしている。
【００３３】
レーザ基板カバー２５０Ｙは、爪部２５０Ｙａとビス２５３Ｙにより、レーザ基板２０６Ｙに固定することができる。その結果、レーザ基板カバー２５０Ｙを固定するための固定部をレーザ基板２０６Ｙ以外に設ける必要がなく、レーザ基板２０６Ｙの周囲に大きなスペースを必要としない。また、本実施例では、レーザ基板カバー２５０Ｙとレーザ基板２０６Ｙを光学箱２０１に固定しているが、例えば、レーザホルダ２０４Ｙ（図３（ｃ）参照）に固定する構成でもよい。
【００３４】
図６は、上述したレーザ基板２０６Ｙ、レーザ基板カバー２５０Ｙを光学箱２０１に装着する際の装着手順を説明する図である。図６を参照しながら、レーザ基板２０６Ｙ、レーザ基板カバー２５０Ｙの装着手順について説明する。
【００３５】
図６において、光学箱２０１には、ビス２５１Ｙ、２５２Ｙ、２５３Ｙが締結されるビス穴が設けられた固定部２５４（ビス２５２Ｙに対応）、固定部２５５（ビス２５３Ｙに対応）が設けられている（ビス２５１Ｙに対応する固定部は不図示）。まず、光学箱２０１に装着されたレーザホルダ２０４Ｙに保持されたレーザダイオード２０３Ｙのリードピンを、レーザ基板２０６Ｙの端子穴に通す。そして、ビス２５１Ｙ、２５２Ｙを通すレーザ基板２０６Ｙの穴２０６Ｙｅ、２０６Ｙｆと、光学箱２０１に設けられたビス２５１Ｙ、２５２Ｙに対向する固定部２５４等のビス穴の位置を合わせ、ビス２５１Ｙ、２５２Ｙによる締結を行う。これにより、レーザ基板２０６Ｙを光学箱２０１に固定する。そして、レーザダイオード２０３Ｙのリードピンのハンダ付けを行う。続いて、レーザ基板カバー２５０Ｙの爪部２５０Ｙａで、レーザ基板２０６Ｙを挟持すると共に、光学箱２０１の外壁に形成されたリブとリブとの間の凹部２５６に爪部２５０Ｙａを嵌合させる。そして、レーザ基板カバー２５０Ｙのビス２５３Ｙ用の穴２５０Ｙｂと、レーザ基板２０６Ｙのビス２５３Ｙ用の穴２０６Ｙｇと、光学箱２０１の対向する固定部２５５に設けられたビス穴の位置を合わせ、ビス２５３Ｙを締結する。これにより、レーザ基板カバー２５０Ｙ及びレーザ基板２０６Ｙを、光学箱２０１にビス２５３Ｙによる共締めによって固定することができる。
【００３６】
図７は、図６の装着手順に従って、レーザ基板２０６Ｙ、レーザ基板カバー２５０Ｙを光学箱２０１に装着した状態を示す図である。図７に示すように、レーザ基板カバー２５０Ｙの爪部２５０Ｙａの幅（Ｚ軸方向の長さ）は、光学箱２０１に設けられたリブ間距離（Ｚ軸方向の長さ）Ｗに略等しい。そのため、爪部２５０Ｙａは、光学箱２０１のリブとリブとの間に形成された凹部２５６に嵌合し、レーザ基板２０６Ｙに垂直な方向（Ｚ軸方向）の固定と共に、図７の上下方向（Ｚ軸方向）の位置決めも兼ねている。
【００３７】
続いて、レーザ基板カバー２５０Ｍについて説明する。レーザ基板カバー２５０Ｍも、レーザダイオード２０３Ｍをレーザ基板２０６Ｍにハンダ付けした後、レーザ基板２０６Ｍに取り付けられる。レーザ基板カバー２５０Ｍをレーザ基板２０６Ｍに装着した状態の斜視図を図４（ｂ）に示す。図４（ｂ）に示すように、レーザ基板カバー２５０Ｍは、レーザ基板２０６Ｍの外形形状に合わせた形状を有し、レーザ基板２０６Ｍの基板表面を覆うカバー構成となっている。また、前述したように、レーザ基板２０６Ｍ上にはコネクタが設置されている。そのため、レーザ基板カバー２５０Ｍは、装着時にレーザ基板カバー２５０Ｍのコネクタ（例えば、コネクタ２０６Ｍａ、２０６Ｍｂ等）に対向する箇所には、コネクタが接触しないように、カバーを切り欠いた切り欠き部が設けられている。また、通信用のコネクタ２０６Ｍａはコネクタ抜け防止のためのロック機構を備えている。そのため、コネクタ２０６Ｍａの脱着時には、ロックを解除するために、コネクタ２０６Ｍａの長手方向の両端部を指で挟む操作が必要となる。その際に、指がコネクタ２０６Ｍａに入りやすくするために、切り欠き部の周囲の面を一段下げて、段差２５０Ｍｃを設けている。これにより、レーザ基板カバー２５０Ｍを装着した状態でのコネクタの脱着を可能にしている。更に、コネクタの脱着時の作業を効率よくするために、レーザ基板カバー２５０Ｍを装着したときのレーザ基板２０６Ｍとの距離（クリアランス）が小さくなるようにしている。これにより、レーザ基板カバー２５０Ｍを装着した際に、レーザ基板カバー２５０Ｍの切り欠き部から、コネクタが突出する部分の高さを大きくすることができるため、コネクタ脱着時の作業効率を向上させることができる。
【００３８】
また、図４（ｂ）に示すように、レーザ基板カバー２５０Ｍは、ビス２５３Ｍ、及び爪部２５０Ｍａによって、光学箱２０１に固定されている。爪部２５０Ｍａには、レーザ基板２０６Ｍに設けられたボス２０６Ｍｄに対向する位置に、ボス２０６Ｍｄに嵌合する穴が設けられている。また、レーザ基板カバー２５０Ｍの角部近傍には、レーザ基板カバー２５０Ｍを光学箱２０１に固定するためのビス２５３Ｍを通すためのビス穴が設けられている。そして、レーザ基板カバー２５０Ｍを装着する際には、まず、爪部２５０Ｍａの穴にボス２０６Ｍｄを嵌合させる。次に、爪部２５０Ｍａの穴にボス２０６Ｍｄを嵌合させた状態で、ビス２５３Ｍを、レーザ基板カバー２５０Ｍのビス穴、及びレーザ基板２０６Ｍのビス穴２０６Ｍｇに通して光学箱の固定部（不図示）に締結する。これにより、レーザ基板カバー２５０Ｍを光学箱２０１に固定する。即ち、レーザ基板カバー２５０Ｍ及びレーザ基板２０６Ｍは、ビス２５３Ｍにより光学箱２０１に共締めされる。その結果、レーザ基板２０６Ｍは、３つのビス、即ちビス２５１Ｍ、２５２Ｍ、２５３Ｍにより光学箱２０１に固定されることになる。そのため、例えばコネクタ２０６Ｍａ、２０６Ｍｂ等の抜き差しなどでレーザ基板２０６Ｍに力が加わっても、撓んで変形するおそれがなくなる。
【００３９】
また、共締めを行うビス２５３Ｍを通すビス穴は、コネクタの近傍に設け、ビス２５３Ｍにより共締めすること（図４（ｂ））により、レーザ基板カバー２５０Ｍの浮き上がりを防止している。その結果、レーザ基板カバー２５０Ｍがレーザ基板２０６Ｍから浮き上がることが防止されるので、コネクタ装着時の作業に影響が出なくなる。
【００４０】
レーザ基板カバー２５０Ｍは、爪部２５０Ｍａとビス２５３Ｍによる共締めにより、レーザ基板２０６Ｍに固定することができる。これにより、レーザ基板カバー２５０Ｍを固定するための固定部をレーザ基板２０６Ｍ以外の箇所に設ける必要がなく、レーザ基板２０６Ｍの周囲に大きなスペースを必要としない。また、本実施例では、レーザ基板カバー２５０Ｍとレーザ基板２０６Ｍを光学箱２０１に固定しているが、例えば、レーザ基板２０６Ｍ用のレーザホルダ２０４Ｍに固定する構成でもよい。
【００４１】
以上、光走査装置１０３のレーザ基板２０６Ｙ、２０６Ｍ、及びレーザ基板カバー２５０Ｙ、２５０Ｍについて説明した。また、光走査装置１０４のレーザ基板、レーザ基板カバーについても、上述した光走査装置１０３と同様の構成を有する。
【００４２】
以上説明したように、本実施例によれば、簡易な構成のカバーによりレーザ制御基板を保護することができる。本実施例によれば、レーザ基板の部品の実装面積を減らすことなく、また、レーザ基板の周囲に大きなスペースを必要とすることなく、レーザ基板カバー２５０をレーザ基板に取り付けることができる。そのため、レーザ基板カバーに外部から衝撃が加わったとしても、レーザ基板が衝撃を受ける箇所をレーザ基板カバーとの共締め部と、爪部により挟み込まれ当接している部分に限定することができ、レーザ基板の故障を防ぐことができる。
【符号の説明】
【００４３】
２０１    光学箱
２０３    レーザダイオード
２０６    レーザ基板
２５０    レーザ基板カバー
【図１】
0006584202.tif 000002
【図２】
0006584202.tif 000003
【図３】
0006584202.tif 000004
【図４】
0006584202.tif 000005
【図５】
0006584202.tif 000006
【図６】
0006584202.tif 000007
【図７】
0006584202.tif 000008